(57)【要約】【課題】魚群探知機を搭載した漁船や模型ボートで魚群を探し出すという手間がなくなり、効率的に漁を行うことができ、しかも漁船の出港前、出港中に関わらず最新の魚群情報を得ることができ、データベースにも最新の魚群情報を反映させることができるブイおよび魚群探知システムを提供すること。【解決手段】ブイに魚群探知機とＧＰＳ受信機と無線機とを搭載する。ブイから魚群情報および位置情報を無線で情報収集センタに送信し、データベースとして保存する。船舶は、無線でデータベースにアクセスし、最新の魚群情報および位置情報を無線で取得し表示端末に表示させる。【選択図】      図１
2008157736.tif 000002
【特許請求の範囲】
【請求項１】
魚群情報を入手する魚群探知機と、位置情報を入手するＧＰＳ受信機と、このＧＰＳ受信機で入手された位置情報および前記魚群探知機で入手された魚群情報を無線送信する無線機とを搭載したことを特徴とするブイ。
【請求項２】
魚群情報を入手する魚群探知機と、位置情報を入手するＧＰＳ受信機と、このＧＰＳ受信機で入手された位置情報および前記魚群探知機で入手された魚群情報を無線送信する無線機とを搭載したブイと、
前記ブイから無線送信された魚群情報および位置情報を受信してデータベースとして蓄積し、かつデータベースから前記魚群情報および位置情報を読出して無線送信する情報収集装置と、
船舶に搭載され、前記情報収集装置と無線通信して該情報収集装置から無線送信された前記魚群情報および位置情報を受信し、それらを表示端末に表示させる通信表示装置と
を具備することを特徴とする魚群探知システム。
【請求項３】
前記情報収集装置は、前記ブイから受信した魚群情報および位置情報をリアルタイムに表示させる、さらにはデータベースとして蓄積された魚群情報および位置情報を表示させる表示システムを備えることを特徴とする請求項２に記載の魚群探知システム。
【請求項４】
前記ブイは、定期的に、あるいは前記情報収集装置から無線機がデータ要求信号を受信すると、前記魚群情報および位置情報を送信することを特徴とする請求項２または３に記載の魚群探知システム。
【請求項５】
前記情報収集装置は、船舶に搭載された前記通信表示装置からデータ要求信号を受信すると、前記データベースから最新の魚群情報および位置情報を検索して、最新の魚群情報および位置情報を船舶の前記通信表示装置に送信することを特徴とする請求項２ないし４のいずれかに記載の魚群探知システム。
【請求項６】
前記ブイと前記情報収集装置間の無線通信、および前記情報収集装置と前記通信表示装置間の無線通信は、地上波電波を使用して実施されることを特徴とする請求項２ないし５のいずれかに記載の魚群探知システム。
【請求項７】
前記ブイと前記情報収集装置間の無線通信、および前記情報収集装置と前記通信表示装置間の無線通信は、通信衛星を介して実施されることを特徴とする請求項２ないし５のいずれかに記載の魚群探知システム。
【発明の詳細な説明】
【技術分野】
【０００１】
本発明は、ブイおよび魚群探知システムに関する。
【背景技術】
【０００２】
魚群情報を入手し漁師に提供する魚群探知システムとしては、従来、特許文献１および２に開示されるように、魚群探知機を漁船に搭載することを前提に構成されており、入手した魚群情報は、魚群探知機を搭載した漁船上で利用され、あるいは管理センタにデータベースを構築して複数の漁船上で利用されている。
【０００３】
また、従来の他の魚群探知システムとして特許文献３に開示されるように模型ボートを使用することが行われている。すなわち、模型ボートに魚群探知機を取り付け、無線による遠隔操作で模型ボートを走行させ、該ボートに搭載した魚群探知機から無線で魚群情報を入手している。
【０００４】
【特許文献１】特開２００３−３４４５３０号公報
【特許文献２】特開２００４−２７１３３８号公報
【特許文献３】実用新案登録第３０８３５４４号公報
【発明の開示】
【発明が解決しようとする課題】
【０００５】
しかしながら、上記のような従来のシステムでは、次のような問題点があった。
（１）魚群探知機を漁船に搭載することを前提とする場合は、漁船が出港し魚場に行かなければ魚群の情報を得ることができなかった。また、魚がいるであろうと思われるポイントは漁師の経験や勘に頼るところがあり、仮にそのポイントに行ったとしても魚がいなければシステムが役に立たず、漁獲を得ることが不可能だった。そればかりか往復の時間と燃料が無駄になり、漁師への負担が大きかった。
（２）漁船に搭載した魚群探知機からの魚群情報でデータベースを構築しても、漁船が出港していない限り、最新の魚群情報をデータベースに反映できない。そのため、出港前にデータベースを使用して予測した魚群情報と出港後の実際の魚群位置に差が生じて、確実な漁獲を得ることができないことがある。
（３）漁船からの魚群情報を管理センタに送ってデータベースを構築するため、また複数の漁船がデータベースをアクセスするために公衆電話回線網を使用しているため、公衆電話回線網が既に敷設されている地域では可能であるが、過疎地や、無人島、離島では管理センタを設置することが難しかった。また、携帯電話のインフラを使用することも考えられるが、携帯電話のインフラは設備に膨大な費用が必要となるだけでなく、電波の周波数、出力に制限があるため、広範囲での情報を扱うことは不可能である。
（４）模型ボートに魚群探知機を取り付けて遠隔操作によって魚群情報を得るシステムでは、模型ボートを操作する要員の手間が必要であり、かつ目視範囲での使用に限られていた。また、模型ボートを使用するため、天候不順、外洋などに起因する波の高さや海流などの影響により、使用することのできる環境が限定されていた。
【０００６】
本発明は上記の点に鑑みなされたもので、その目的は、魚群探知機を搭載した漁船や模型ボートで魚群を探し出すという手間がなくなり、効率的に漁を行うことができ、しかも漁船の出港前、出港中に関わらず最新の魚群情報を得ることができ、データベースにも最新の魚群情報を反映させることができるブイおよび魚群探知システムを提供することにある。
【課題を解決するための手段】
【０００７】
本発明のブイは、魚群情報を入手する魚群探知機と、位置情報を入手するＧＰＳ受信機と、このＧＰＳ受信機で入手された位置情報および前記魚群探知機で入手された魚群情報を無線送信する無線機とを搭載したブイとする。
【０００８】
本発明の魚群探知システムは、魚群情報を入手する魚群探知機と、位置情報を入手するＧＰＳ受信機と、このＧＰＳ受信機で入手された位置情報および前記魚群探知機で入手された魚群情報を無線送信する無線機とを搭載したブイと、前記ブイから無線送信された魚群情報および位置情報を受信してデータベースとして蓄積し、かつデータベースから前記魚群情報および位置情報を読出して無線送信する情報収集装置と、船舶に搭載され、前記情報収集装置と無線通信して該情報収集装置から無線送信された前記魚群情報および位置情報を受信し、それらを表示端末に表示させる通信表示装置とを具備する魚群探知システムとする。
【０００９】
好ましい形態として、前記情報収集装置は、前記ブイから受信した魚群情報および位置情報をリアルタイムに表示させる、さらにはデータベースとして蓄積された魚群情報および位置情報を表示させる表示システムを備える。また、前記ブイは、定期的に、あるいは前記情報収集装置から無線機がデータ要求信号を受信すると、前記魚群情報および位置情報を送信する。さらに、前記情報収集装置は、船舶に搭載された前記通信表示装置からデータ要求信号を受信すると、前記データベースから最新の魚群情報および位置情報を検索して、最新の魚群情報および位置情報を船舶の前記通信表示装置に送信する。さらに、前記ブイと前記情報収集装置間の無線通信、および前記情報収集装置と前記通信表示装置間の無線通信は、地上波電波を使用して実施される。他の方法として、前記ブイと前記情報収集装置間の無線通信、および前記情報収集装置と前記通信表示装置間の無線通信は、通信衛星を介して実施される。
【発明の効果】
【００１０】
本発明によれば、ブイに搭載した魚群探知機からの魚群情報を無線を通じて得られることにより、今まで魚群探知機を漁船や模型ボートに搭載して魚群を探し出していた手間が不要となり、効率的に漁を行うことができる。また、ブイからの魚群情報によって、漁船の出港前、出港中に関わらず最新の魚群情報を得ることができ、データベースにも最新の魚群情報を反映させることができる。
【発明を実施するための最良の形態】
【００１１】
次に添付図面を参照して本発明によるブイおよび魚群探知システムの実施の形態を詳細に説明する。図１は本発明のブイの一実施形態を備えた本発明の魚群探知システムの第１実施形態を示す構成図である。この第１実施形態の魚群探知システムは、ブイ１０と、情報収集装置（以下、情報収集センタと言う）２０と、船舶３０に搭載された通信表示装置４０とからなる。
【００１２】
ブイ１０は、図２の詳細構成図に示すように、魚群探知機１１と、ＧＰＳ受信機１２と、無線機１３とを搭載する。魚群探知機１１は、超音波を海中に向けて発射する一方、海中からの反射波を受信して魚群情報を入手する一般的な魚群探知機である。ＧＰＳ受信機１２は、ＧＰＳ衛星からのＧＰＳ電波を受信して、該ＧＰＳ受信機１２を搭載したブイ１０の位置情報を入手する。無線機１３は、これらの魚群探知機１１およびＧＰＳ受信機１２で入手された魚群情報および位置情報を情報収集センタ２０に向け無線送信する。
【００１３】
このような魚群探知機１１と、ＧＰＳ受信機１２と、無線機１３とを搭載したブイ１０は、海上もしくは湖上、あるいは河川に１つもしくは複数個設置される。図１では、ブイ１０が２個、海上に設置されている。このようなブイ１０は、海流や風によって位置が流動的になるのが不都合で半永久的に同じ位置に固定したい場合は、アンカ１４を取付けることで、漂流タイプから係留タイプに置き換えることが可能である。さらに、ブイ１０は、魚群探知機１１などの電源として蓄電池を搭載するが、太陽電池パネルを表面に備えて太陽光発電で電源をまかなったり、蓄電池を充電するようにしてもよい。
【００１４】
情報収集センタ２０は、漁業組合の事務所などに設置され、無線機２１と、送受信サーバ２２と、該送受信サーバ２２の記憶部２３と、表示システム２４とで構成される。無線機２１は、ブイ１０から無線送信された魚群情報および位置情報を受信する。送受信サーバ２２は、無線機２１で魚群情報および位置情報が受信されると、それらの情報を記憶部２３にデータベースとして蓄積する。表示システム２４は、無線機２１で魚群情報および位置情報が受信されると、それらの情報を送受信サーバ２２および記憶部２３を介してリアルタイムに表示させることができ、かつ送受信サーバ２２の記憶部２３にデータベースとして蓄積された魚群情報および位置情報を表示させることもできる。無線機２１は、ブイ１０からの魚群情報および位置情報の他、船舶３０から無線送信されたデータ要求信号を受信する。すると、送受信サーバ２２は、記憶部２３のデータベースから最新の魚群情報および位置情報を検索してそれらを無線機２１に供給する。無線機２１は、供給された最新の魚群情報および位置情報を船舶３０に向け無線送信することができる。
【００１５】
また、無線機２１は、データ要求信号をブイ１０の無線機１３に向け無線送信することができる。ブイ１０の無線機１３は、定期的に、あるいは情報収集センタ２０の無線機２１からデータ要求信号を受信したときに魚群情報および位置情報を情報収集センタ２０に向け無線送信する。
【００１６】
船舶３０に搭載された通信表示装置４０は、無線機４１と、表示端末４２とからなる。無線機４１は、情報収集センタ２０に向けてデータ要求信号を無線送信する一方、情報収集センタ２０からの最新の魚群情報および位置情報を受信する。表示端末４２は、無線機４１で受信した魚群情報および位置情報を表示する。
【００１７】
このように構成された本発明の第１実施形態の魚群探知システムの動作を説明する。この魚群探知システムでは、海上に設置されたブイ１０に魚群探知機１１とＧＰＳ受信機１２が搭載されるから、海上に設置されたブイ１０によって魚群情報が入手され、かつ魚群情報を得た位置情報が入手される。そして、これらの魚群情報と位置情報とが、ブイ１０に搭載された無線機１３によって定期的に、あるいは情報収集センタ２０の無線機２１からデータ要求信号を受信したときに、情報収集センタ２０に向けて自動的に無線送信される。
【００１８】
すると、情報収集センタ２０では、ブイ１０からの魚群情報および位置情報を無線機２１で受信する。さらに、受信した魚群情報と位置情報とを送受信サーバ２２によって記憶部２３に最新データとして保存するとともに表示システム２４にリアルタイムで表示し、情報管理を行う。
【００１９】
一方、船舶３０では、最新の魚群情報を入手したいときに無線機４１からデータ要求信号を情報収集センタ２０に向け送信する。すると、情報収集センタ２０では、前記データ要求信号を無線機２１で受信することにより、送受信サーバ２２が記憶部２３のデータベースから最新の魚群情報および位置情報を検索し読出し、それを無線機２１を通じて自動的に船舶３０に対して送信する。すると、船舶３０では、情報収集センタ２０から送信された魚群情報と位置情報とを無線機４１で受信し、表示端末４２に送り、表示端末４２は得られた魚群情報と位置情報とを表示する。ここで、船舶３０は、出港前の準備段階であっても、また出港中であっても、データ要求信号の送信および魚群情報、位置情報の受信が可能である。船舶３０は、魚群情報および位置情報で示されたポイントに移動して漁を行う。
【００２０】
このような本発明の第１実施形態の魚群探知システムによれば、次のような効果を得ることができる。
（１）ブイ１０に搭載された魚群探知機１１からの魚群情報を無線を通じて得られることにより、今まで魚群探知機を漁船や模型ボートに搭載して魚群を探し出していた手間が不要となり、効率的に漁を行うことができる。
（２）ブイ１０からの魚群情報によって最新の情報をデータベースに反映させることができ、しかもそのデータベースから、船舶３０（漁船）の出港前、出港中に関わらず最新の魚群情報を得ることが可能となる。
（３）ブイ１０からの魚群情報によって、勘・経験に頼ることなく、漁船の操作ができれば素人でも漁を行うことができる。
（４）ブイ１０からの魚群情報によって情報のデータベース化ができるため、年間を通じて統計をとることができる。
（５）情報収集センタ２０からの情報を一定時間毎に受信し続けることで、離れた場所の魚群の移動経路を知ることができ、魚群の進路を漁師が予測することが可能となる。
（６）私設の無線回線（所轄官庁の許可が必要）を使用するシステムであり、携帯電話等の公衆回線を使用しないため、必要最低限の費用で基地局等のインフラがない遠隔地でも使用できる。また、所轄官庁の許可を得て高出力電波を使用することができるため、広範囲に対応した情報を取扱える。さらに、有線公衆回線網が存在しないような過疎地、離島、無人島に低費用で施設できる。
（７）ブイ１０を使用するため、天候不順等、模型ボートを使用する場合のような制限を解除できる。
【００２１】
上記の第１実施形態では、ブイ１０と情報収集センタ２０間、および情報収集センタ２０と船舶３０間の無線通信に地上波電波を使用する。これに対して、図３は、本発明の魚群探知システムの第２実施形態を示すが、この第２実施形態では、通信衛星５０を介してブイ１０と情報収集センタ２０間、および情報収集センタ２０と船舶３０間の無線通信を実施する。したがって、この第２実施形態は、情報収集センタ２０に対してブイ１０と船舶３０とが遠隔地に存在しても本発明を使用できる。第２実施形態のその他の構成は第１実施形態と同一であり、同一部分は説明を省略する。
【００２２】
なお、ブイ１０で収集する情報としては、魚群情報および位置情報だけでなく、水温や気温や湿度および波高、風速、気圧、海流、塩分やｐＨ等の水質のデータを含めてもよい。送受信サーバ２２の記憶部２３にデータベースとして保存される情報、および船舶３０の表示端末４２に表示される情報も、魚群情報および位置情報だけでなく、水温や気温、湿度、波高、風速、気圧、海流、塩分やｐＨ等の水質のデータを含めることが可能である。
【図面の簡単な説明】
【００２３】
【図１】本発明のブイの一実施形態を備えた本発明の魚群探知システムの第１実施形態を示す構成図である。
【図２】本発明の第１実施形態で使用されるブイの詳細構成図である。
【図３】本発明の魚群探知システムの第２実施形態を示す構成図である
【符号の説明】
【００２４】
１０  ブイ
１１  魚群探知機
１２  ＧＰＳ受信機
１３  無線機
２０  情報収集装置（情報収集センタ）
２１  無線機
２２  送受信サーバ
２３  記憶部
２４  表示システム
３０  船舶
４０  通信表示装置
４１  無線機
４２  表示端末
５０  通信衛星
【図１】
2008157736.tif 000003
【図２】
2008157736.tif 000004
【図３】
2008157736.tif 000005